(57)【要約】【課題】カメラ付の電子機器を安定に支持固定しておくことができ、簡易で且つコンパクトな構成で、低コストで製作可能にした電子機器用固定具を提供する。【解決手段】被固定部に固定されるよう下端にネジ留め部５を有する基部６と、該基部６の上面に立設された支持板７と、該支持板７の前記基部６両側において両端部が各固着されてループ状となった伸縮自在な保持バンド８と、前記支持板７の上端に前記保持バンド８を架け留め可能とするよう当該支持板７上端から下方に向けて折り返し状となって形成された係架部１０と、を備える。保持バンド８は、基部６上に載せられた電子機器Ｐの一面側を支持板７に当接保持させるよう当該電子機器Ｐを他面側から抱き込み、支持板７の上端に形成された係架部１０に架け留めされるものとする。【選択図】図３
2015155937.tif 000002
【特許請求の範囲】
【請求項１】
被固定部に固定されるよう下端にネジ留め部を有する基部と、該基部の上面に立設された支持板と、該支持板の前記基部両側において両端部が各固着されてループ状となった伸縮自在な保持バンドと、前記支持板の上端に前記保持バンドを架け留め可能とするよう当該支持板上端から下方に向けて折り返し状となって形成された係架部と、を備え、
前記保持バンドは、前記基部上に載せられた電子機器の一面側を前記支持板に当接保持させるよう当該電子機器を他面側から抱き込み、前記支持板の上端の係架部に架け留め可能にして成る電子機器用固定具。
【請求項２】
取付用ネジが上方に向けて突設された架台と、該架台の下面において互いに開閉自在となって設けられた３本の脚部と、を有して成る三脚を備え、該三脚の架台の取付用ネジに前記基部のネジ留め部に装着されることで前記支持板を三脚に固定可能にした請求項１に記載の電子機器用固定具。
【請求項３】
支持板は、電子機器を横向きにして支持可能とするよう当該支持板の前記基部からの高さが当該電子機器の横幅に略対応するように形成されている請求項１又は２に記載の電子機器用固定具。
【発明の詳細な説明】
【技術分野】
【０００１】
本発明は、例えばスマートフォンやタブレット等のカメラ付の電子機器用固定具に関する。
【背景技術】
【０００２】
近年、例えばスマートフォンやタブレット等の携帯端末機（電子機器）においては、セルフタイマーを内蔵した静止画・動画撮影を含めたカメラ付の機能として、例えば、撮像素子ＣＭＯＳを採用したモバイルカメラを備えたものが数多く市販されるに至っている。このような、カメラ付携帯電話機を用いて、例えば、セルフタイマー機能により自分を撮影（動画撮影を含む）する場合では、カメラ付携帯電話機を、三脚を用いて、離れた場所に設置する必要がある。
【０００３】
例えば、特許文献１に開示されているように、ポリエチレン（ＰＥ）、ポリプロピレン（ＰＰ）、塩化ビニル樹脂（ＰＶＣ）等の合成樹脂により構成された直方体状の基体部と、カメラ付携帯電話機の外部接続端子に嵌合可能な形状を有する支持部と、三脚の止めネジをネジ留め可能なネジ穴を有するネジ留め部とを備え、前記基体部は、第１の面と、第２の面とを有し、前記第１の面には前記支持部が備えられ、前記第２の面には前記ネジ留め部が備えられて成る三脚アダプタを設けたカメラ付携帯電話機用三脚が提案されている。
【０００４】
また、特許文献２に開示されているように、主軸線を中心に左右に開くようになった２つの前脚と、前記主軸線を中心に回動するようになった第１取付けブロック及び第２取付けブロックと、第１取付けブロックの第１横枢軸を中心に後方に開くようになった１つの後脚と、第２取付けブロックの第２横枢軸を中心に前後に回動でき、互いに電気的に接続された縦向きの接続端子部及び後向きの充電接続端子部を有するコネクターブロックを含むカメラ付携帯電話機用三脚も提案されている。
【先行技術文献】
【特許文献】
【０００５】
【特許文献１】特開２００６−２５４１８６号公報
【特許文献２】特開２００４−３１７５７８号公報
【発明の概要】
【発明が解決しようとする課題】
【０００６】
しかしながら、特許文献１の三脚アダプタ、特許文献２のコネクターブロックそれぞれは、カメラ付携帯電話機の一端部における外部接続端子によって支持することから、カメラ付携帯電話機自体の起立保持性が不安定となる。特にカメラ付携帯電話機を縦向きにして三脚に支持した場合には、重心が三脚上方のカメラ付携帯電話機側に寄らないよう三脚自体の重量を極力大きくしておかなければ、カメラ付携帯電話機を安定に起立保持しておくことが困難である。
【０００７】
また、特許文献１の場合、基体部、支持部、ネジ留め部それぞれを含む三脚アダプタは、前記支持部が携帯電話機の外部接続端子に嵌合可能な形状を有していることから、製造加工も複雑なものとなりコスト高となる。
【０００８】
さらに、特許文献２の場合、コネクターブロックが、互いに電気的に接続された縦向きの接続端子部及び後向きの充電接続端子部を有することから、これもまた製造加工も複雑なものとなりコスト高となる。
【０００９】
そこで、本発明は叙上のような従来存した諸事情に鑑み創出されたもので、カメラ付の携帯端末機等の各種の電子機器を安定に支持固定しておくことができ、しかも簡易で且つコンパクトな構成で、さらに低コストで製作可能にした電子機器用固定具を提供することを目的とする。
【課題を解決するための手段】
【００１０】
上述した課題を解決するために、本発明に係る電子機器用固定具にあっては、被固定部に固定されるよう下端にネジ留め部を有する基部と、該基部の上面に立設された支持板と、該支持板の前記基部両側において両端部が各固着されてループ状となった伸縮自在な保持バンドと、前記支持板の上端に前記保持バンドを架け留め可能とするよう当該支持板上端から下方に向けて折り返し状となって形成された係架部と、を備えて成ることを特徴とする。
【００１１】
保持バンドは、前記基部上に載せられた電子機器の一面側を前記支持板に当接保持させるよう当該電子機器を他面側から抱き込み、前記支持板の上端の係架部に架け留め可能にして成るものとしてある。
【００１２】
取付用ネジが上方に向けて突設された架台と、該架台の下面において互いに開閉自在となって設けられた３本の脚部と、を有して成る三脚を備え、該三脚の架台の取付用ネジに前記基部のネジ留め部に装着されることで前記支持板を三脚に固定可能にした。
【００１３】
支持板は、電子機器を横向きにして支持可能とするよう当該支持板の前記基部からの高さが当該電子機器の横幅に略対応するように形成されている。
【発明の効果】
【００１４】
本発明によれば、カメラ付の携帯端末機等の各種電子機器を安定に支持固定しておくことができ、しかも簡易で且つコンパクトな構成で、さらに低コストで製作可能にした電子機器用固定具を提供することができる。
【００１５】
すなわち、本発明においては、被固定部に固定されるよう下端にネジ留め部を有する基部と、該基部の上面に立設された支持板と、該支持板の前記基部両側において両端部が各固着されてループ状となった伸縮自在な保持バンドと、前記支持板の上端に前記保持バンドを架け留め可能とするよう当該支持板上端から下方に向けて折り返し状となって形成された係架部と、を備えて成るので、従来のようにカメラ付の携帯端末機（携帯電話）等の電子機器の外部接続端子に嵌合可能な形状を付与するような複雑な製造加工を要することなく、簡易で且つコンパクトな構成による電子機器用固定具を低コストに製作することができる。
【００１６】
また、保持バンドは、前記基部上に載せられた電子機器の一面側を前記支持板に当接保持させるよう当該電子機器を他面側から抱き込み、前記支持板の上端の係架部に架け留め可能にして成るものとしたので、例えばカメラ付の携帯端末機等の電子機器を、保持バンドによって安定に支持固定しておくことができる。
【００１７】
さらに、取付用ネジが上方に向けて突設された架台と、該架台の下面において互いに開閉自在となって設けられた３本の脚部と、を有して成る三脚を備え、該三脚の架台の取付用ネジに前記基部のネジ留め部に装着されることで前記支持板を三脚に固定可能にしたので、当該三脚によってカメラ付の携帯端末機等の各種の電子機器を安定に支持固定しておくことができる。
【００１８】
さらにまた、支持板は、携帯端末機を横向きにして支持可能とするよう当該支持板の前記基部からの高さが携帯端末機の横幅に略対応するように形成されているので、例えばカメラ付の携帯端末機等の電子機器を横向きにして安定に固定しておくことができる。特に、従来のように、携帯電話機を縦向きにして三脚に支持した場合に比べて、重心が三脚上方の電子機器側に極力寄らないようにすることができ、電子機器を安定に保持しておくことができる。
【図面の簡単な説明】
【００１９】
【図１】本発明を実施するための一形態における電子機器用固定具の分解斜視図である。
【図２】同じく電子機器用固定具の支持板に電子機器を装着する状態を示す斜視図である。
【図３】同じく電子機器用固定具の支持板に保持バンドを介して電子機器を固定保持した状態を斜め正面側から視た斜視図である。
【図４】同じく電子機器用固定具の支持板に保持バンドを介して電子機器を固定保持した状態を斜め背面側から視た斜視図である。
【図５】支持板の基部およびネジ留め部の変形例を示し、（ａ）は斜視図、（ｂ）は正面図、（ｃ）は右側面図である。
【図６】図６中（ａ）乃至（ｃ）は支持板の基部の更に他の各変形例を示す斜視図である。
【図７】支持板の基部にネジ留め部の代わりにクリップ体を備えた変形例を示し、（ａ）は斜視図、（ｂ）は正面図、（ｃ）は右側面図である。
【図８】同じく支持板の基部にクリップ体を備えた変形例における使用状態を示す斜視図である。
【発明を実施するための形態】
【００２０】
以下、図面を参照して本発明の実施の一形態を図１乃至図４に基づき詳細に説明する。
【００２１】
本発明に係る例えばカメラ付の携帯端末機等の電子機器Ｐを固定するための電子機器用固定具は、図１に示すように、三脚１の架台２上の取付用ネジ３にねじ込まれて据え付けられるよう下面にネジ留め部５を有する左右幅の広い矩形ブロック状もしくは台形ブロック状となった基部６と、該基部６の上部片側より立設された縦長帯板状の支持板７と、前記基部６の左右両側において両端部が各固着されてループ状となった伸縮自在な保持バンド８とを備えている。
【００２２】
三脚１は、例えば１／４インチサイズ等の取付用ネジ３が円柱状の架台２の上面に上方に向けて突設され、架台２下面からは下端に硬球Ｑを有する３本のフレキシブルな脚部４ａ，４ｂ，４ｃが開閉自在となって延設されて成る。また、架台２の周側面には三脚１自体を所定の箇所に掛架保持しておくためのＬ型クリップ９が付設されている。
【００２３】
基部６の上面は、例えばスマートフォンやタブレット等の携帯端末機Ｐを横向きにして安定に載せられる程度の前後幅と左右長さによる面積を有し、これが前記支持板７下端のマチを構成している。
【００２４】
支持板７は、この上端に前記保持バンド８を掛架させるための後方側に向けて略円弧状に湾曲した係架部１０を備えている。
【００２５】
保持バンド７は、例えばナイロン天然ゴムを複数本撚り込んで成る伸縮自在なカラフルな帯紐部材によって形成されている。
【００２６】
尚、本実施形態においては、三脚１としてケンコー社製のミニトライポッドオクトパス（商品名）と称するコンパクトサイズのミニ三脚を用いて説明しているが、その他の三脚構造によるものを採用しても良い。
【００２７】
例えば、三脚１のバリエーションとして、架台２を三軸方向に回転可能に支持し、当該架台２の向きの調節を不図示のハンドルの操作により行われるものとしたり、あるいは上記したフレキシブルな脚部４ａ，４ｂ，４ｃの替わりに、２つの前脚を架台２側に設けた軸部を介して左右に開くよう回動させると同時に、これに連動して１つの後脚が後方に開くように構成したりすることができる。
【００２８】
次に、以上のように構成された形態についての使用の一例について説明すると、先ず、図１に示すように、架台２上面の取付用ネジ３を、基部６のネジ留め部５にねじ込むことで架台２上に支持板７（電子機器用固定具）を据え付ける。そして、脚部４ａ，４ｂ，４ｃを互いに開いた状態にしておく。
【００２９】
次いで、図２に示すように、基部６の上面に電子機器Ｐを横向きにして載せる。このとき、携帯端末機Ｐの一面側である例えばカメラレンズ窓Ｓのある背面側（図４参照）を前記支持板７に当接保持させるように載置させる。
【００３０】
そして、図２及び図３に示すように、保持バンド８を携帯端末機Ｐの他面側である例えば液晶画面Ｒのある前面側から抱き込み、支持板７上端の係架部１０に保持バンド８を架け留めることで、電子機器Ｐは支持板７と保持バンド８によって挟持された状態となって保持される。
【００３１】
尚、本発明は上記実施形態に限られるものではなく、その趣旨及び技術思想を逸脱しない範囲内で種々の変形が可能である。以下に各変形例において説明するが、上記本実施形態と同じ部分には同じ符号を附してその詳細な説明を省略する。
【００３２】
図５に示すように、支持板７の基部６の下面に取り付けられる三脚１の取付用のネジ留め部５として、当該基部６下面から下方に向けて次第に幅狭となった扇形板６ａを介して下部に袋ナット６ｂが取り付けられて構成されている。尚、本変形例においては、上記した本実施形態と同じ作用効果を有する。
【００３３】
また、図６に示すように、支持板７の基部６の電子機器Ｐを固定する奥行きや保持バンド８の幅等のバリエーションが可能である。尚、これら支持板７はすべて三脚１に取り付けられて使用されるものである。
【００３４】
すなわち、図６（ａ）では、矩形ブロック状に形成された基部６を前後共に幅を広くしてあり、基部６の前後いずれかの側端面に細径の保持バンド８が設けられている。
【００３５】
また、図６（ｂ）では、基部６の前後いずれかの方向に延びており、基部６の延び方向側端面に中径の保持バンド８が設けられている。
【００３６】
また、図６（ｃ）では、上記図６（ｂ）に示す基部６の矩形ブロックの縦幅サイズを大きくして、基部６の延び方向側端面に太径の保持バンド８が設けられている。
【００３７】
以上のように基部６の奥行きや保持バンド８の幅等のバリエーションにより、スマートフォンやタブレット等の種々の電子機器Ｐに対応できる。
【００３８】
図７には、支持板７の基部６にクリップ体１１を備えた変形例が示されている。尚、この変形例では上記した三脚１が使用されず、支持板７を所持品Ｔに直接固定して使用するものである。
【００３９】
すなわち、図７（ａ）〜図７（ｃ）に示すように、基部６は、支持板７に対して若干斜下方向に傾斜させてあり、ループ状の保持バンド８を基部６の先端側で丸め込むようにして保持してある。
【００４０】
そして、端部に把持部１１ｄ，１１ｅを有する一対のクリップ片１１ａ，１１ｂがバネ１１ｃによって閉塞付勢されて成るクリップ体１１の例えば一方のクリップ片１１ａ側の把持部１１ｄ側が当該基部６の下面に横向きとなって固定されている。
【００４１】
図８に示すように、上記クリップ体１１によって、支持板７を例えば杖・傘等の所持品Ｔ（被固定部）の例えば柄の先端に取り付け、使用者は所持品Ｔの例えば先端側を手で持って、携帯端末機等の電子機器Ｐのカメラレンズ窓Ｓを自分の方向に向けることで自分撮りができるものとなる。
【符号の説明】
【００４２】
Ｐ…電子機器（携帯端末機）
Ｑ…硬球
Ｒ…液晶画面
Ｓ…カメラレンズ窓
Ｔ…杖・傘等の所持品（被固定部）
１…三脚
２…架台
３…取付用ネジ
４ａ，４ｂ，４ｃ…脚部
５…ネジ留め部
６…基部
６ａ…扇形板
６ｂ…袋ナット
７…支持板
８…保持ハンド
９…Ｌ型クリップ
１０…係架部
１１…クリップ体
１１ａ，１１ｂ…クリップ片
１１ｃ…バネ
１１ｄ，１１ｅ…把持部
【図１】
2015155937.tif 000003
【図２】
2015155937.tif 000004
【図３】
2015155937.tif 000005
【図４】
2015155937.tif 000006
【図５】
2015155937.tif 000007
【図６】
2015155937.tif 000008
【図７】
2015155937.tif 000009
【図８】
2015155937.tif 000010